(57)【要約】      （修正有）【課題】宅地造成の境界壁工事、道路の路肩工事等の擁壁構築工事において、据付けの位置決めや方向決め、及び基礎部や隣接の擁壁用コンクリートブロックとの連結が容易となる、擁壁用Ｌ型コンクリートブロックを提供する。【解決手段】本発明による擁壁用Ｌ型ブロック１は、垂直壁底面３の長手方向に、基礎部の上面に設けた基礎嵌合構造に対応して合致し嵌合するＬ型ブロック側嵌合構造を設けたものである。【選択図】図１
2007170152.tif 000002
【特許請求の範囲】
【請求項１】
擁壁用Ｌ型コンクリートブロックの垂直壁底面の長手方向に、基礎部の上面に設けた基礎嵌合構造に合致して嵌合するＬコン嵌合構造を設けた事を特徴とする擁壁用Ｌ型コンクリートブロック。
【請求項２】
Ｌコン嵌合構造は、基礎部の上面に設けた基礎部長手状溝、基礎部連結穴、基礎部横状溝等の凹部に、それぞれ対応して嵌入するＬコン長手状突起、Ｌコン連結突起、Ｌコン横状突起等の突起を設けた事を特徴とする請求項１に記載の擁壁用Ｌ型コンクリートブロック。
【請求項３】
Ｌコン嵌合構造は、基礎部の上面に設けた基礎部長手状突起、基礎部連結突起、基礎部横状突起等の突起を、それぞれ対応して嵌入するＬコン長手状溝、Ｌコン連結穴、Ｌコン横状溝を設けた事を特徴とする請求項１に記載の擁壁用Ｌ型コンクリートブロック。
【請求項４】
Ｌコン嵌合構造は、基礎部の上面に設けた長手方向に連続する二段状の基礎部段差と嵌合する二段状のＬコン段差を、連続させて設けた事を特徴とする請求項１に記載の擁壁用Ｌ型コンクリートブロック。
【発明の詳細な説明】
【技術分野】
【０００１】  本発明は、宅地造成の境界壁や道路の路肩等の擁壁構築工事の際に使用する、擁壁用Ｌ型コンクリートブロック（以下、擁壁用Ｌ型ブロックという）に関する。
【背景技術】
【０００２】  従来の擁壁用ブロックは、縦断面形状で区分すると、直角Ｌ型と鈍角１０５度Ｌ型があるが、擁壁用Ｌ型ブロックを使用して擁壁を構築する場合は、図１０に示す通り、コンクリートを打ち込んで基礎コンクリート２２に造成し、その上に成形されたコンクリート基礎部材２４を順次敷設し、このコンクリート基礎部材２４の上に擁壁用ブロック２３を順次据付けして固定し、施工後はコンクリート基礎部材及び擁壁用ブロックの根底部分を地表面下に埋め込むという施工法であった。【０００３】  この場合、擁壁用Ｌ型ブロックには大小があるが、通常のものでも、重量１トン、高さ２ｍもあり、正規位置に据え付ける作業は非能率であるので、軽量、小形で作業性のよい基礎部材を使用し、先ず基礎部材を水平状に敷設して基礎面を造成する事が行われている。従って、この基礎部材の据付け状態が正確でなければ、擁壁用ブロックを安定させて定位置に正確に据え付け、堅固な擁壁を構築する事はできない。【０００４】  擁壁用Ｌ型ブロックは、滑動、傾倒、沈降、等の現象を軽減、防止する為に、断面形状が鈍角１０５度Ｌ型に構成され、図１０に示す通り現在と同様に、垂直壁部２、底板部４、支持部６により成り、底板部４が水平より１５度傾斜しているので、通常は添付図面に例示する通り、底板部４の連結位置は垂直壁底面３よりも高いので、施工においては、基礎部材に当接する垂直壁底面３だけで、据付けの位置や角度を決める事となり、据付け時の作業は非能率で不安定であった。
【発明の開示】
【発明が解決しようとする課題】
【０００５】  擁壁用Ｌ型ブロックを使用する擁壁構築の施工には、基礎部材を使用する事が普及しているが、従来の基礎部材は、単純形状の断面四角形又は略台形五角形であるので、コンクリート基礎面への固定、両側の隣接する基礎部材との連結、固定、載置する擁壁用ブロクとの連結、固定を意図した構造及び形状でなく、単なる据付け台であった。【０００６】  本発明の擁壁用Ｌ型ブロック１は図１及び図２に示す通り、垂直壁部２と水平より１５度傾斜する底板部４により構成され、垂直壁部２と底板部４は鈍角１０５度で連結され、垂直壁部２と底板部４は支持部６により支持される。底板部４には、底板部４の連結部下面側にコンクリートを充填しやすくする為に、通常、複数のコンクリート充填用貫通孔５が設けられる。垂直壁部２の垂直壁底面３には、基礎部材７の上面に設けた種々の基礎部材側嵌合構造にそれぞれ合致して嵌合さらる為、種々の擁壁用Ｌ型ブロック側嵌合構造を設ける。【０００７】  本発明の擁壁用Ｌ型ブロックの垂直壁底面に設けるＬコン嵌合構造には種々あるが、図１は、垂直壁底面３に断面台形のＬコン長手状突起８を突設した実施例を示し、図２は、垂直壁底面３に断面三角形のＬコン長手状溝９を設け、基礎部材７の上面には、Ｌコン長手状溝９に嵌入する断面三角形の長手状突起１１を突設した実施例を示す。【０００８】    擁壁用Ｌ型ブロックを使用して擁壁を構築する為には、施工時に擁壁用Ｌ型ブロックの前後、左右、上下の各方向を順次、位置調整して整合させ、滑動、傾倒、沈降、転倒の移動を防止する事が必要であり、この為、基礎コンクリートに直接据付ける場合には基礎コンクリート、基礎部材を使用する場合には基礎部材が構成する基礎部を、全方向整合させて水平状に造成し、その上に据え付け固定する事が重要であるが、従来の擁壁用Ｌ型ブロックと基礎部材の構造、形状は、共に全方向を整合させ容易に据付けて連結し、堅固に固定させる事ができる効果を有するものではなかった。
【課題を解決するための手段】
【０００９】  本発明に係る擁壁用Ｌ型ブロックは、垂直壁底面の嵌合構造と相互嵌合する嵌合構造を設けた基礎部と対応して作用し、滑動、傾倒、沈降、転倒等の現象を軽減し防止するものであり、基礎コンクリート面、又は基礎部材の敷設面で成る基礎部への据付けと連結と固定の条件を備えた構造及び形状である。【００１０】  本発明に係る擁壁用Ｌ型ブロック１の連結と固定については、添付図面に示す通り、垂直壁底面３に設けたＬコン長手状突起８、Ｌコン長手状溝９、Ｌコン連結突起１２、Ｌコン連結穴１３、Ｌコン横状突起１６、Ｌコン横状溝１８、Ｌコン段差２０と、基礎部７の上面に設けた基礎部長手状溝１０、基礎部長手状突起１１、基礎部連結穴１４、基礎部連結突起１５、基礎部横状溝１７、基礎部横状突起１９、基礎部段差２１、をそれぞれ嵌合させる事により行う。
【発明の効果】
【００１１】  本発明は、擁壁工事を施工する際に使用する擁壁用Ｌ型ブロックに関し、施工時において、擁壁Ｌ型ブロックを据付ける際、すでに位置や方向が整合されて固定している基礎部の上に据付け、嵌合させて固定するので、据付け位置決めや整合が極めて容易となり、簡単に連結して強固に固定する事ができる。この事は、重量、寸法の大なる擁壁用ブロックよりも、取扱いやすく施工が容易な基礎部材を操作して、先ずは基礎部材の据付けの位置、状態を正確に整合させて水平状に強固に固定し、その後で、本発明に係る擁壁用Ｌ型ブロックを、この基礎部材の上に据付ける施工法を採用するので、重量、寸法の大きい擁壁用Ｌ型ブロックは大きく移動操作して位置調整する事なく、微調整だけで据付け位置を決める事ができ、簡単に隣接の擁壁用Ｌ型ブロックと正確に整合、連結させて固定する事が可能となり、据付け作業が大幅に短縮され、擁壁構築の施工能率を向上するには極めて有効である。
【発明を実施するための最良の形態】
【００１２】  本発明による擁壁用Ｌ型ブロックは、垂直壁底面の長手方向に、基礎部の上面に設けた基礎嵌合構造に対応して合致し嵌合するＬコン嵌合構造を設けた事を特徴とし、そのＬコン嵌合構造は、擁壁構築の規模、現場の状況、使用する擁壁Ｌ型ブロックの寸法、利用する基礎部の種類などの条件に対応させて構成する。従って、基礎部の上面に設けた基礎部長手状溝及び基礎部長手状突起、基礎部連結穴、基礎部連結突起、基礎部横状溝、基礎部横状突起、長手方向に連続する基礎部段差、等の基礎嵌合構造に対応してそれぞれ嵌合する、Ｌコン長手状突起及び、Ｌコン長手状溝、Ｌコン連結突起、Ｌコン連結穴、Ｌコン横状突起、Ｌコン横状溝、Ｌコン段差を設ける。この垂直壁底面にＬコン嵌合構造を設けた擁壁用Ｌ型ブロックと、上面に基礎嵌合構造を設けた基礎部との組合わせにより、堅固な擁壁を構築する事ができ、擁壁構築の施工能率を著しく向上させ事ができる。
【実施例】
【００１３】  以下、添付図面の図３から図９までに示す各実施例について説明する。
【実施例１】
【００１４】    図３は本発明に係る擁壁用Ｌ型ブロックを示し、垂直壁底面３の長手方向に、Ｌコン長手状突起８を設け、基礎部７の上面には基礎部長手状溝１０を設けた実施例である。この実施例においては、擁壁用Ｌ型ブロック１を据付ける際、前後方向位置決め、その位置での左右方向移動や固定が容易になる。
【実施例２】
【００１５】    図４は本発明に係る擁壁用Ｌ型ブロックを示し、垂直壁底面３の長手方向に、Ｌコン長手状溝９を設け、基礎部３の上面には基礎部長手状突起１１を設けた実施例である。この実施例においては、図３の実施例と同様に、擁壁用Ｌ型ブロックの据付けの際に前後方向位置決め、その位置での左右方向移動や固定が容易となる。
【実施例３】
【００１６】    図５は本発明に係る擁壁用Ｌ型ブロックを示し、垂直壁底面３の長手方向に、Ｌコン連結突起１２を設け、基礎部７の上面には基礎部連結穴１４設けた実施例である。この実施例においては、擁壁用Ｌ型ブロック１の据付けの際に、前後、左右方向位置決めや強固な固定が容易となり、小型の擁壁用Ｌ型ブロックの場合は最適である。
【実施例４】
【００１７】    図６は本発明に係る擁壁用Ｌ型ブロックを示し、垂直壁底面３の長手方向に、Ｌコン連結穴１３を設け、基礎部７の上面には基礎部連結突起１５を設けた実施例である。この実施例においては、図５の実施例と同様に、擁壁用Ｌ型ブロックの据付けの際に、前後、左右方向位置決めや固定か容易であり、特に小型に最適である。
【実施例５】
【００１８】    図７は本発明に係る擁壁用Ｌ型ブロックを示し、垂直壁底面３の長手方向に、Ｌコン横状突起１６を設け、基礎部７の上面には基礎部横状溝１７を設けた実施例である。この実施例においては、左右方向位置決めや、その位置での前後方向の移動や固定が容易となる。
【実施例６】
【００１９】    図８は本発明に係る擁壁用Ｌ型ブロックを示し、垂直壁底面３の長手方向に、Ｌコン横状溝１８を設け、基礎部７の上面には基礎部横状突起１９を設けた実施例である。この実施例においては、図７と同様に、左右方向位置決め、その位置での前後移動や固定が容易となる。
【実施例７】
【００２０】  図９は本発明に係る擁壁用Ｌ型ブロックを示し、垂直壁底面３に、二段状のＬコン段差２０を設け、基礎部７の上面には基礎部段差２１を設けたた実施例である。この実施例においては、擁壁用Ｌ型ブロックの据付けの際、後方位置が的確に規定されるので前後方向位置位置決め、左右移動や固定が容易となる。
【図面の簡単な説明】
【００２１】
【図１】  本発明に係る擁壁用Ｌ型ブロックの一実施例を示す斜視図である。
【図２】  本発明に係る擁壁用Ｌ型ブロックを使用して、擁壁を構築する場合の施工例を示す概略構成図である。
【図３】  擁壁用Ｌ型ブロックを示し、垂直壁底面の長手方向に、Ｌコン長手状突起を設け、基礎部の上面には基礎部長手状溝を設けた実施例の斜視図である。
【図４】  擁壁用Ｌ型ブロックを示し、垂直壁底面の長手方向に、Ｌコン長手状溝を設け、基礎部の上面には基礎部長手状突起を設けた実施例の斜視図である。
【図５】  擁壁用Ｌ型ブロックを示し、垂直壁底面の長手方向に、Ｌコン連結突起を設け、基礎部の上面には基礎部連結穴を設けた実施例の斜視図である。
【図６】  擁壁用Ｌ型ブロックを示し、垂直壁底面の長手方向に、Ｌコン連結穴を設け、基礎部の上面には基礎部連結突起を設けた実施例の斜視図である。
【図７】  擁壁用Ｌ型ブロックを示し、垂直壁底面の長手方向に、Ｌコン横状突起を設け、基礎部の上面には基礎部横状溝を設けた実施例の斜視図である。
【図８】  擁壁用Ｌ型ブロックを示し、垂直壁底面の長手方向に、Ｌコン横状溝を設け、基礎部の上面には基礎部横状突起を設けた実施例の斜視図である。
【図９】  擁壁用Ｌ型ブロックの垂直壁底面に二段状のＬコン段差を設け、基礎部の上面には基礎部段差を設けたた実施例の斜視図である。
【図１０】  従来の擁壁用ブロックを示す斜視図である。
【符号の説明】
【００２２】１．  擁壁用Ｌ型ブロック
２．  垂直壁部
３．  垂直壁底面
４．  底板部
５．  コンクリート充填用貫通孔
６．  支持部
７．  基礎部
８．  Ｌコン長手状突起
９．  Ｌコン長手状溝
１０．基礎部長手状溝
１１．基礎部長手状突起
１２．Ｌコン連結突起
１３．Ｌコン連結穴
１４．基礎部連結穴
１５．基礎部連結突起
１６．Ｌコン横状突起
１７．基礎部横状溝
１８．Ｌコン横状溝
１９．基礎部横状突起
２０．Ｌコン段差
２１．基礎部段差
２２．基礎コンクリート
２３．従来の擁壁用Ｌ型コンクリートブロック
２４．従来の基礎部材
【図１】
2007170152.tif 000003
【図２】
2007170152.tif 000004
【図３】
2007170152.tif 000005
【図４】
2007170152.tif 000006
【図７】
2007170152.tif 000007
【図８】
2007170152.tif 000008
【図５】
2007170152.tif 000009
【図６】
2007170152.tif 000010
【図９】
2007170152.tif 000011
【図１０】
2007170152.tif 000012